(57)【特許請求の範囲】
【請求項１】
非接触ＩＣカードに無線接続されるとともに、無線接続された前記非接触ＩＣカードに対し価値情報をチャージする電子マネーチャージ端末装置において、
複数の非接触ＩＣカードとの間の無線接続を検出する検出手段と、
前記検出手段により少なくとも２つの非接触ＩＣカードとの間の無線接続が検出されると、複数の非接触ＩＣカードのうち予め定めた第１の非接触ＩＣカードのチャージエリアにチャージされている価値情報を第２の非接触ＩＣカードのチャージエリアに移転する価値情報移転手段と
を備え、
前記価値情報がチャージされる非接触ＩＣカードのチャージエリアは第１及び第２のエリアに区分され、
前記価値情報移転手段は、第１の非接触ＩＣカードの第１のエリアの価値情報を第２の非接触ＩＣカードの第２のエリアに移転することを特徴とする電子マネーチャージ端末装置。
【請求項２】
非接触ＩＣカードと、前記非接触ＩＣカードに無線接続されるとともに、無線接続された前記非接触ＩＣカードに価値情報をチャージする第１の電子マネーチャージ端末装置と、無線接続された非接触ＩＣカードに価値情報のチャージを行う第２の電子マネーチャージ端末装置とからなる電子マネーチャージシステムにおいて、
前記第２の電子マネーチャージ端末装置は、
複数の非接触ＩＣカードとの間の無線接続を検出する検出手段と、
前記検出手段により少なくとも２つの非接触ＩＣカードとの間の無線接続が検出されると、複数の非接触ＩＣカードのうち予め定めた第１の非接触ＩＣカードのチャージエリアにチャージされている価値情報を第２の非接触ＩＣカードのチャージエリアに移転する価値情報移転手段と
を備え、
前記価値情報がチャージされる非接触ＩＣカードのチャージエリアは第１及び第２のエリアに区分され、
前記価値情報移転手段は、第１の非接触ＩＣカードの第１のエリアの価値情報を第２の非接触ＩＣカードの第２のエリアに移転することを特徴とする電子マネーチャージシステム。
【発明の詳細な説明】
【０００１】
【発明の属する技術分野】
本発明は、ＩＣカードに価値情報をチャージする電子マネーチャージ端末装置及び電子マネーチャージシステムに関する。
【０００２】
【従来の技術】
近年、ＩＣカードに価値情報を電子マネーとしてチャージするとともに、価値情報がチャージされたＩＣカードを利用して買い物等が可能な電子マネーシステムが導入されつつある。
このような電子マネーシステムにおいては、ＩＣカードに価値情報をチャージするチャージ機は所定の管理場所に配置されており、利用者は、前記チャージ機により価値情報がチャージされたＩＣカードを所持し店舗などで買い物を行う。
【０００３】
ここで利用者が店舗での買い物が終了して、代金支払いのために店舗に設置してある引き落とし機上に自身のＩＣカードを載置し、店員が引き落とし機を操作して買い物代金相当分の金額を入力すると、引き落とし機はＩＣカードにチャージされている価値情報から買い物代金に相当する金額の引き落としを行う。このようにして、価値情報がチャージされたＩＣカードを利用して買い物等が行われるが、ＩＣカードの残額が無くなってくると、そのＩＣカードに前記チャージ機により再度価値情報をチャージする。
【０００４】
【発明が解決しようとする課題】
このように従来では、ＩＣカードに残額が無くなってくるとチャージ機により再度価値情報をチャージしているが、前記チャージ機は盗難の防止を目的として、限られた場所にしか設置されていないため、ＩＣカードに対する価値情報のチャージが面倒であるという課題があった。
したがって本発明は、ＩＣカードに価値情報が無くなった場合に簡単に価値情報をチャージ可能にすることを目的とする。
【０００５】
【課題を解決するための手段】
このような課題を解決するために本発明の電子マネーチャージ端末装置は、非接触ＩＣカードに無線接続されるとともに、無線接続された非接触ＩＣカードに対し価値情報をチャージする端末装置であって、複数の非接触ＩＣカードとの間の無線接続を検出する検出手段を備え、検出手段により複数の非接触ＩＣカードとの間の無線接続が検出されると、複数の非接触ＩＣカードのうち予め定めた第１の非接触ＩＣカードの第１のエリアにチャージされている価値情報を第２の非接触ＩＣカードの第２のエリアに移転するようにしたことにより特徴づけれられる。
また、本発明は、非接触ＩＣカードと、無線接続された非接触ＩＣカードに価値情報をチャージする第１の端末装置と、無線接続された非接触ＩＣカードに価値情報をチャージする第２の端末装置とからなる電子マネーチャージシステムであって、第２の端末装置は、複数の非接触ＩＣカードとの間の無線接続を検出する検出手段を備え、検出手段により複数の非接触ＩＣカードとの間の無線接続が検出されると、複数の非接触ＩＣカードのうち予め定めた第１の非接触ＩＣカードの第１のエリアにチャージされている価値情報を第２の非接触ＩＣカードの第２のエリアに移転するものである。
【０００６】
【発明の実施の形態】
以下、本発明について図面を参照して説明する。
図１は、本発明に係る電子マネーチャージ端末装置の構成を示すブロック図である。本電子マネーチャージ端末装置（以下、端末装置）１は、後述の非接触ＩＣカード（以下、ＩＣカード）２と無線接続されてＩＣカードに価値情報をチャージするものであり、ＣＰＵ１１と、ＣＰＵ１１が実行するプログラムを格納するＲＯＭ１２と、データを格納するＲＡＭ１３と、ＩＣカード２に対し価値情報のチャージや移動を行うための認証アルゴリズムを格納するＳＡＭ１４と、ゲートアレイ１５と、無線回路１９と、ＩＣカード２の後述のアンテナＡＴ２と電磁結合するアンテナＡＴ１とからなる。
【０００７】
ここで、ゲートアレイ１５には、ＣＰＵ１１からのデータを符号化して無線回路１９に送出する符号化回路１６と、アンテナＡＴ１，無線回路１９を介するＩＣカード２からのデータを復号化してＣＰＵ１１に送出する復号化回路１７と、複数のＩＣカードとの電磁結合時に複数のＩＣカードから送出される後述の応答信号等のデータの衝突を検出する衝突検出回路１８が設けられている。
【０００８】
図２は、上述したＩＣカード２の構成を示すブロック図であり、ＩＣカード２は、ＣＰＵ２２，ＲＯＭ２３及び電気的に書き込み・消去が可能なメモリ２４からなるＩＣチップ２１と、無線回路２５と、上述のアンテナＡＴ２とから構成される。
【０００９】
さて、以上のように構成された電子マネーチャージシステムでは、ＩＣカード２が端末装置１上に載置されると、ＩＣカード２のアンテナＡＴ２と、端末装置１のアンテナＡＴ２とが電磁結合し、端末装置１からＩＣカード２に電源が供給される。ＩＣカード２のＣＰＵ２２は電源が供給されると、無線回路２５及びアンテナＡＴ２を介し応答信号を端末装置１側へ送信する。
【００１０】
端末装置１のＣＰＵ１１は、アンテナＡＴ１，無線回路１９及びゲート回路１５内の復号化回路１７を介してその応答信号を受信すると、ＳＡＭ１４に格納された価値情報移転のための認証アルゴリズムを実行して、所定額の価値情報をＩＣカード２側に送信しＩＣカード２のメモリ２４に格納させる。このようにしてＩＣカード２に価値情報がチャージされる。
こうして、端末装置１により価値情報がチャージされたＩＣカード２を用いて買い物等が行われ、ＩＣカード２の残額が無くなってくると、そのＩＣカード２に再度の価値情報のチャージが行われる。
【００１１】
図３は、本発明の電子マネーチャージシステムの構成を示すブロック図であり、ＩＣカード２を利用したバス乗車料金支払いシステムの例を示すものである。図３において、バス会社の営業所にはＩＣカード２に価値情報をチャージする端末装置１Ａ，１Ｂが設置され、各端末装置１Ａ，１Ｂは、それぞれＳＡＭ１４の認証アルゴリズムに基づきＩＣカード２Ａに価値情報をチャージするものである。この価値情報がチャージされたＩＣカード２Ａはバスの利用者に現金と引換に供給される。また、バスの運転手の集結場所であるバス会社本部には、端末装置１Ｃが設置され、端末装置１Ｃは、ＳＡＭ１４の認証アルゴリズムに基づきＩＣカード２Ｂに価値情報をチャージするものである。この価値情報がチャージされたＩＣカード２Ｂはバスの運転手に供給される。なお、各端末装置１Ａ〜１Ｃは本部に設置されたセンタ３に接続され、各端末装置１Ａ〜１ＣからＩＣカードにチャージされた価値情報はセンタ３により一元管理される。
【００１２】
ところで、価値情報がチャージされるＩＣカード２のメモリ２４は、２つの領域２４Ａ，２４Ｂに分割されている。ここで、バスの利用者の所持するＩＣカード２Ａには、メモリ２４の領域２４Ａに端末装置１Ａまたは端末装置１Ｂから価値情報がチャージされる。また、運転手の所持するＩＣカード２Ｂには、メモリ２４の領域２４Ｂに端末装置１Ｃから価値情報がチャージされる。
【００１３】
バスの運転手は、バスの運行に先立ち、自身のＩＣカード２Ｂを端末装置１Ｃに載置し、上述したように端末装置１Ｃから自身のＩＣカード２Ｂのメモリ２４の領域２４Ｂに価値情報をチャージする。このＩＣカード２Ｂにチャージされる価値情報は、例えば利用者が所持するＩＣカード２Ａにチャージされる価値情報の限度額（例えば１０００円）の数十倍程度の額（例えば３００００円）とする。
ここで、運行されるバスの中には利用者のＩＣカード２Ａからバス料金の引き落としを行う図４に示すような端末装置１Ｄが設置されている。この端末装置１Ｄは、ＩＣカード２Ａに価値情報をチャージする図１の端末装置１と同様に構成されており、利用者がバスからの下車時に自身のＩＣカード２Ａを端末装置１Ｄ上に載置すると、端末装置１Ｄは、ＳＡＭ１４の認証アルゴリズムに基づき、図４（ａ）に示すように利用者のＩＣカード２Ａのメモリ２４の領域２４Ａの価値情報からバス乗車料金分に相当する金額を引き落とす。
【００１４】
ここで、利用者のＩＣカード２Ａに価値情報が無い場合は、運転手は端末装置１Ｄ上に載置されている利用者のＩＣカード２Ａ上に、自身のＩＣカード２Ｂを重ねて載置する。すると、ＩＣカード２Ａ，２Ｂの各アンテナＡＴ２と、端末装置１ＤのアンテナＡＴ１とが電磁結合し、各ＩＣカード２Ａ，２Ｂに端末装置１Ｄから電源が供給されることにより、各ＩＣカード２Ａ，２Ｂからそれぞれ固有のカード番号を示す前記応答信号が同時に送信される。したがって、各ＩＣカード２Ａ、２Ｂの送信データは衝突し、このデータの衝突が端末装置１Ｄの衝突検出回路１８により検出されＣＰＵ１１に伝達される。
【００１５】
この場合、端末装置１ＤのＣＰＵ１１は、端末装置１Ｄに複数のＩＣカードが無線接続されていると認識して、衝突検出回路１８により検出された衝突データに基づき各ＩＣカードのカード番号を個別に指定して、指定したＩＣカード２に対しそのカードのメモリ２４の領域２４Ｂに価値情報がチャージされているか否かの情報を返送させる。そしてその返送情報からそのＩＣカード２が領域２４Ｂに価値情報がチャージされている運転手用のＩＣカード２Ｂと識別すると、端末装置１ＤのＣＰＵ１１はＳＡＭ１４の認証アルゴリズムに基づき、そのＩＣカード２Ｂのメモリ２４の領域２４Ｂにチャージされている価値情報を所定額減じる。また、このとき端末装置１ＤのＣＰＵ１１は、利用者のＩＣカード２Ａのカード番号を指定して同様にＳＡＭ１４の認証アルゴリズムに基づきそのＩＣカード２Ａのメモリ２４の領域２４Ａに前記所定額分の価値情報をチャージする。
【００１６】
このようにして、運転手専用のＩＣカード２Ｂから利用者のＩＣカード２Ａに価値情報が移転され、以降利用者はそのＩＣカード２Ａを利用してバス乗車料金の支払いを行うことができる。なお、運転手専用のＩＣカード２Ｂから利用者のＩＣカード２Ａへの価値情報の移転時には移転した価値情報分の前記所定額が利用者から運転手に支払われる。
【００１７】
このように、ＩＣカード２に価値情報をチャージする端末装置１Ａ，１Ｂと同様構成の端末装置１Ｄを引き落とし機としてバス内に設置するとともに、バス利用者のＩＣカード２Ａに残額が不足する場合は、このＩＣカード２Ａと運転手用のＩＣカード２Ｂとを重ねて端末装置１Ｄ上に載置することにより、運転手用のＩＣカード２Ｂからバス利用者のＩＣカード２Ａに価値情報を移転するようにしたものである。この結果、バス利用者は自身のＩＣカード２Ａに残額が無くなった場合に、逐一バス営業所まで赴いて、端末装置１Ａまたは１Ｂにより価値情報をチャージする必要が無く、バス利用者の利便性が向上する。
ここで、バス利用者の中に運転手の知人がおりその知人の所持するＩＣカード２Ａに無料で価値情報をチャージするような運転手がいることも考えられるため、本実施の形態では、運転手専用のＩＣカード２Ｂから利用者のＩＣカード２Ａへの価値情報の移転時には移転した価値情報分をＩＣカード２Ｂから減算する。このように構成することにより、運転手の不正チャージを防止できる。
なお、端末装置１Ｄは、運転手のＩＣカード２Ｂの価値情報を利用者のＩＣカード２Ａへ移転する時には、移転分に相当する価値情報を運転手のＩＣカード２Ｂの価値情報から減算しないようにすることもできる。
【００１８】
以上の実施の形態では、バスの乗車料金の支払いにＩＣカード２を利用した例を説明したが、店舗に前記端末装置１Ｄを設置し、かつ店舗の店員用として、メモリ２４の領域２４Ｂに価値情報がチャージされたＩＣカード２Ｂを供給するようにして、店舗で買い物を行いその代金支払いの際に利用者のＩＣカード２Ａに価値情報が無い場合には、前記端末装置１Ｄを利用して店員用のＩＣカード２Ｂから利用者のＩＣカード２Ａに価値情報を移転することもできる。
【００１９】
即ち、利用者のＩＣカード２Ａに残額が無い場合は、そのＩＣカード２Ａと店員用のＩＣカード２Ｂとを端末装置１Ｄ上に載置する。すると、端末装置１Ｄは同様に、店員専用のＩＣカード２Ｂのメモリ２４内の領域２４Ｂの価値情報を利用者のＩＣカード２Ａのメモリ２４内の領域２４Ａに移転する。この結果、以降、利用者はそのＩＣカード２Ａの利用を続行することができる。したがって、この場合利用者は、特定の管理場所に赴きその場所に設置されているチャージ機によって価値情報をチャージする必要が無く、利用者の利便性が向上する。なお、端末装置１Ｄにより、店員用のＩＣカード２Ｂから自身のＩＣカード２Ａに価値情報が移転された際には利用者は移転した価値情報分の金額を店員に支払う。
【００２０】
【発明の効果】
以上説明したように本発明によれば、複数のＩＣカードとの間の無線接続が検出されると、本端末装置は予め定めた第１のＩＣカードのチャージエリアにチャージされている価値情報を第２のＩＣカードのチャージエリアに移転するようにしたので、例えばバスの利用者は自身のＩＣカードに残額が無くなった場合、バス内に設置されている本端末装置上に自身のＩＣカードを運転者用の第１のＩＣカードとともに載置すれば第１のＩＣカードから価値情報を移転でき、したがって逐一バス営業所まで赴いてその営業所内のチャージ機により価値情報をチャージする必要が無く、バス利用者の利便性を向上できる。
この場合、価値情報がチャージされるＩＣカードのエリアを第１及び第２のエリアに区分し、第１のＩＣカードの第１のエリアの価値情報を第２のＩＣカードの第２のエリアに移転するようにしたので、端末装置では価値情報を移転するＩＣカードと価値情報が移転されるＩＣカードとを的確に識別して価値情報の移転を行うことができる。
また、ＩＣカードと、無線接続されたＩＣカードに価値情報をチャージする第１の端末装置と、無線接続されたＩＣカードに価値情報をチャージする第２の端末装置とからなる電子マネーチャージシステムにおいて、第２の端末装置は、複数のＩＣカードとの間の無線接続を検出すると、予め定めた第１のＩＣカードのチャージエリアにチャージされている価値情報を第２の非接触ＩＣカードのチャージエリアに移転するようにしたので、例えばバス内に乗車料金引き落とし機として設置された第２の端末装置上に利用者の第２のＩＣカードとともにバスの運転手専用の第１のＩＣカードを載置すれば、第１のＩＣカードから第２のＩＣカードに価値移転が行われ、この結果、ＩＣカードに価値情報が無くなった場合、バスの利用者はバス営業所まで赴いてその営業所内のチャージ機により価値情報をチャージする必要が無く、同様にバス利用者の利便性が向上する。また、店舗内に料金引き落とし機として第２の端末装置を設置しその第２の端末装置上に利用者の第２のＩＣカードとともに店舗の店員専用の第１のＩＣカードを載置すれば、第１のＩＣカードから第２のＩＣカードに同様に価値移転が行われるため、利用者は自身のＩＣカードに残額が無くなった場合、特定の管理場所に設置されているチャージ機によりチャージする必要がなく、同様に利用者の利便性が向上する。
この場合、ＩＣカードのチャージエリアを第１及び第２のエリアに区分し、第２の端末装置は、第１の非接触ＩＣカードの第１のエリアの価値情報を第２の非接触ＩＣカードの第２のエリアに移転するようにしたので、第２の端末装置は同様に価値情報を移転するＩＣカードと価値情報が移転されるＩＣカードとを的確に識別し価値情報を移転できる。
また、第１のＩＣカードの価値情報を第２のＩＣカードに移転する場合第１のカードの価値情報を引き落とすようにしたので、バス運転手による不正チャージを防止できる。
【図面の簡単な説明】
【図１】本発明に係る電子マネーチャージ端末装置の構成を示すブロック図である。
【図２】上記記端末装置により価値情報がチャージされる非接触ＩＣカードの構成を示すブロック図である。
【図３】本発明の電子マネーチャージシステムの構成を示すブロック図である。
【図４】上記端末装置の非接触ＩＣカードに対する価値情報のチャージの例を示す図である。
【符号の説明】
１，１Ａ、１Ｂ，１Ｃ，１Ｄ…電子マネーチャージ端末装置、２，２Ａ，２Ｂ…非接触ＩＣカード、３…センタ、１１，２２…ＣＰＵ、１２，２３…ＲＯＭ、１４…ＳＡＭ、１５…ゲートアレイ、１６…符号化回路、１７…復号化回路、１８…衝突検出回路、１９，２５…無線回路、２１…ＩＣチップ、２４…メモリ、２４Ａ…領域（第２のエリア）、２４Ｂ…領域（第１のエリア）、ＡＴ１，ＡＴ２…アンテナ。
【図１】
0003577567.tif 000002
【図２】
0003577567.tif 000003
【図３】
0003577567.tif 000004
【図４】
0003577567.tif 000005